(57)【要約】    【課題】  連結したフィルムのカット作業時に隣接するフィルムが不用意にカットされるのを防止することができるフィルムリーダを提供する。  【解決手段】  ２本の写真フィルムがリーダ本体の一端後方において所定間隔開けてほぼ平行に配設されるように、これら２本の写真フィルムの長さ方向一端部を前記リーダ本体の一端部に連結して、前記両写真フィルムを写真処理装置の搬送路に沿って案内するためのフィルムリーダにおいて、リーダ本体の一端に、このリーダ本体に連結される複数本の写真フィルム間において写真フィルムの長さ方向に所定長さ延びて、前記写真フィルムの誤カットを防止するための帯状の誤カット防止部を設けた。  【選択図】  図１
2005181665.tif 000002
【特許請求の範囲】
【請求項１】
複数本の写真フィルムがリーダ本体の一端後方において所定間隔開けてほぼ平行に配設されるように、これら複数本の写真フィルムの長さ方向一端部を前記リーダ本体の一端部に連結して、前記両写真フィルムを写真処理装置の搬送路に沿って案内するためのフィルムリーダであって、
リーダ本体の一端には、このリーダ本体に連結される複数本の写真フィルム間において写真フィルムの長さ方向に所定長さ延びて、前記写真フィルムの誤カットを防止するための誤カット防止部が設けられていることを特徴とするフィルムリーダ。
【発明の詳細な説明】
【技術分野】
【０００１】
本発明は、写真フィルムを写真処理装置の搬送路に沿って案内するのに使用されるフィルムリーダに関する。
【背景技術】
【０００２】
一般に撮影済みの写真フィルムを現像処理装置により現像処理するに際しては、例えば、パトローネから引き出した撮影済み写真フィルムの長さ方向一端部をフィルムリーダに接続して、このフィルムリーダにより、写真フィルムを現像処理装置の各処理槽内に案内して現像処理を行なうようにしている。（特許文献１参照）
【特許文献１】特開平４−１４２５３９号公報ところで、従来のフィルムリーダＡは、図３にも示すように、可撓性を有する合成樹脂製シートから略矩形状に形成され、その長さ方向の中心線に沿って複数のガイド孔Ｂが所定間隔で穿設されている。
【０００３】
そして以上のフィルムリーダＡでは、その長さ方向一端部に、２本の写真フィルムＦ１・Ｆ２の長さ方向一端部を連結するのであって、具体的には、写真フィルムＦ１・Ｆ２の長さ方向一端部をフィルムリーダＡの長さ方向一端部に重ねた状態で、フィルムリーダＡと写真フィルムＦ１・Ｆ２の長さ方向一端部とにわたってスプライシングテープＣを貼り付けることで、写真フィルムＦ１・Ｆ２をフィルムリーダＡに連結し、これら2本の写真フィルムＦ１・Ｆ２をフィルムリーダＡの長さ方向一端後方において所定間隔開けてほぼ平行に配設するようにしている。
【０００４】
そして以上のごとくフィルムリーダＡに取り付けられた写真フィルムＦ１・Ｆ２は、フィルムリーダＡに先導されながら、現像処理装置の処理槽を順次通過して、現像処理が行なわれた後、フィルムリーダＡとの連結部位近くで鋏Ｄによりそれぞれカットするのであるが、例えばフィルムＦ１のカットに際して、不用意に隣のフィルムＦ２の一部をカットしてしまって、フィルムＦ２の側部に傷をつけ、この傷ついたフィルムＦ２を例えばフィルムスキャナーなどにセットして、搬送装置により搬送しながら画像の読み取り作業を行なう際、そのフィルムＦ２の傷部分が搬送路に引っ掛かるなどして読取作業が不良となったり、場合によってはフィルムＦ２が破損する不具合もある。
【発明の開示】
【発明が解決しようとする課題】
【０００５】
本発明は以上の実情に鑑みて開発されたものであって、目的とするところは、連結したフィルムのカット作業時に隣接するフィルムが不用意にカットされるのを防止することができるフィルムリーダを提供することにある。
【課題を解決するための手段】
【０００６】
以上の目的を達成するために、請求項１に記載の発明は、複数本の写真フィルムがリーダ本体の一端後方において所定間隔開けてほぼ平行に配設されるように、これら複数本の写真フィルムの長さ方向一端部を前記リーダ本体の一端部に連結して、前記両写真フィルムを写真処理装置の搬送路に沿って案内するためのフィルムリーダであって、リーダ本体の一端には、このリーダ本体に連結される複数本の写真フィルム間において写真フィルムの長さ方向に所定長さ延びて、前記写真フィルムの誤カットを防止するための誤カット防止部が設けられていることを特徴とするものである。
【発明の効果】
【０００７】
請求項１に記載の発明によれば、リーダ本体の一端部に誤カット防止部を挟んで連結した写真フィルムの1つを鋏でカットする際して、誤カット防止部により、他の写真フィルムを誤ってカットするのを確実に防止することが出来る。
【発明を実施するための最良の形態】
【０００８】
以下、本発明の一実施形態を図１に基づいて説明する。
【０００９】
図１に示す実施形態のフィルムリーダ１は、平面視略長方形に形成されたリーダ本体２を備え、このリーダ本体２は、ポリエチレンテレフタレート（ＰＥＴ）から可撓性を有するシート状に形成され、写真フィルムＦ１・Ｆ２よりも硬質としている。
【００１０】
またこのリーダ本体２には、現像処理装置（図示せず）における搬送装置への送り方向、即ち図に示す実施形態では、リーダ本体２の長さ方向と平行な方向の中心線に沿って、複数のガイド孔３が所定間隔で穿設されている。
【００１１】
このガイド孔３は、現像処理装置の搬送装置を構成するスプロケットが係合して、フィルムリーダ１を所定の搬送路に沿って送るためのものである。
【００１２】
そして、このフィルムリーダ１では、図１に示すように、リーダ本体２の長さ方向一端部に２本の写真フィルムＦ１・Ｆ２の長さ方向一端部がそれぞれスプライシングテープＣを介して連結されて、これら２本の写真フィルムＦ１・Ｆ２が前述のガイド孔３を挟んだ位置でリーダ本体２の後方に向かって所定間隔開けてほぼ平行に配設されるようにしている。
【００１３】
スプライシングテープＣは、テープカッターにより自動的に所定長さにカットされるものを使用するようにしている。
【００１４】
以上のフィルムリーダ１において、図に示す実施形態では、リーダ本体２の長さ方向一端における前記ガイド孔３の形成位置、換言すればリーダー本体２の幅方向中央に、リーダ本体２の長さ方向に沿って後方に所定長さ延びる帯状の誤カット防止部４が一体形成され、この誤カット防止部４には、リーダ本体２に形成したガイド孔３に連続する複数のガイド孔３０が穿設されている。
【００１５】
尚、リーダ本体２にスプライシングテープＣを介して連結された写真フィルムＦ１・Ｆ２は、通常スプライシングテープＣとの境界部分でカットされることから、誤カット防止部４の全長Ｌ１は、少なくとも自動的にカットされるスプライシングテープＣの全長Ｌ２よりも長く形成するのが好ましい。
【００１６】
以上の構造からなるフィルムリーダ１は、図１に示すように、リーダ本体２の長さ方向一端縁部において誤カット防止部４を挟むように２本の写真フィルムＦ１・Ｆ２の長さ方向一端部をスプライシングテープＣを介して連結した後、現像処理装置における搬送装置に送り込んで、写真フィルムＦ１・Ｆ２を現像処理するのである。
【００１７】
一方、現像処理を終えた写真フィルムＦ１・Ｆ２は、リーダ本体２との連結部を鋏Ｄによりカットするのであって、写真フィルムＦ１・Ｆ２中の一方Ｆ１を鋏Ｄで切断するに伴い、フィルムのカット操作を誤っても、誤カット防止部４により、他の写真フィルムＦ１を誤ってカットするのが確実に防止されて、この写真フィルムＦ１に不用意に傷を付けるようなことがないのである。
【００１８】
従って、その後、スキャナーの搬送装置により搬送しながら画像の読み取り作業を行なう際などにおいて、写真フィルムＦ２が搬送装置に引っ掛かるなどの事故を未然に防止することが出来る。
【００１９】
以上の実施形態では、誤カット防止部４をリーダ本体２に一体形成したが、これに限定されるものではなく、例えば図２に示すように、別途、誤カット防止部４０を形成して、この誤カット防止部４０の一端部をリーダー本体２の長さ方向一端部に接着若しくは溶着してもよい。
【００２０】
また以上の実施形態では、リーダー本体２に２本の写真フィルムＦ１・Ｆ２を連結するようにしたが、これに限定されるものではなく、例えば３本の写真フィルムを連結するようにしてもよい。この場合には、誤カット防止部４または４０は、リーダー本体２の長さ方向一端部に所定間隔あけて2本設けるのが好ましい。
【図面の簡単な説明】
【００２１】
【図１】本発明にかかるフィルムリーダの一実施形態を示す平面図。
【図２】本発明にかかるフィルムリーダの他の実施形態を示す平面図。
【図３】従来のフィルムリーダを示す平面図。
【符号の説明】
【００２２】
１     フィルムリーダ
２     リーダ本体
３      ガイド孔
４      誤カット防止部
Ｃ      スプライシングテープ
Ｆ１・Ｆ２  写真フィルム
Ｄ      鋏
【図１】
2005181665.tif 000003
【図２】
2005181665.tif 000004
【図３】
2005181665.tif 000005